(57)【要約】【課題】電源コンセントに接続された負荷機器の電源を遮断することがなく、トラッキングの発生を知ることができる電源コンセントを提供する。【解決手段】電源コンセント１は、プラグの栓刃を挟持して電路３にプラグを接続する受刃４と、栓刃間に発生する火花放電を検知するセンサ５と、センサ５の出力電流によりトラッキングを検出すると信号を出力するトラッキング検出回路６と、トラッキング検出回路６の出力信号により作動する警告手段７とで構成する。【選択図】図１
2006046966.tif 000002
【特許請求の範囲】
【請求項１】
プラグの栓刃を挟持して電路に前記プラグを接続する受刃と、前記栓刃間に発生する火花放電を検知するセンサと、該センサの出力電流によりトラッキングを検出すると信号を出力するトラッキング検出回路と、該トラッキング検出回路の出力信号により作動する警告手段とで構成したことを特徴とする電源コンセント。
【請求項２】
プラグの栓刃を挟持して電路に前記プラグを接続する受刃と、前記栓刃間に発生する火花放電を検知するセンサと、該センサの出力電流によりトラッキングを検出すると信号を出力するトラッキング検出回路と、該トラッキング検出回路の出力信号により外部に信号を出力する出力手段とで構成したことを特徴とする電源コンセント。
【請求項３】
前記トラッキング検出回路から信号が出力されると前記センサの入力電流を遮断する遮断回路を備えたことを特徴とする請求項１又は請求項２に記載の電源コンセント。
【発明の詳細な説明】
【技術分野】
【０００１】
本発明は、トラッキングに至る前に発生する火花放電を検知する機能を備えた電源コンセントに関する。
【背景技術】
【０００２】
従来、トラッキングを防止する機能を有する電源コンセントとして特許文献１に示すものがある。特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
このため、負荷機器の電源を遮断させたくない場合でも電路を遮断してしまうという欠点があった。
【課題を解決するための手段】
【０００５】
本発明は、請求項１に記載の発明によれば、プラグの栓刃を挟持して電路にプラグを接続する受刃と、栓刃間に発生する火花放電を検知するセンサと、センサの出力電流によりトラッキングを検出すると信号を出力するトラッキング検出回路と、トラッキング検出回路の出力信号により作動する警告手段とで構成したことを特徴とする。
【０００６】
請求項２に記載の発明によれば、プラグの栓刃を挟持して電路にプラグを接続する受刃と、栓刃間に発生する火花放電を検知するセンサと、センサの出力電流によりトラッキングを検出すると信号を出力するトラッキング検出回路と、トラッキング検出回路の出力信号により外部に信号を出力する出力手段とで構成したことを特徴とする。
【０００７】
請求項３に記載の発明によれば、請求項１又は請求項２に記載の電源コンセントにおいて、トラッキング検出回路から信号が出力されるとセンサの入力電流を遮断する遮断回路を備えたことを特徴とする。
【発明の効果】
【０００８】
請求項１に記載の発明によれば、プラグの栓刃を挟持して電路にプラグを接続する受刃と、栓刃間に発生する火花放電を検知するセンサと、センサの出力電流によりトラッキングを検出すると信号を出力するトラッキング検出回路と、トラッキング検出回路の出力信号により作動する警告手段とで構成したことにより、電源コンセントに接続された負荷機器の電源を遮断することがなく、トラッキングの発生を知ることができるという効果がある。
【０００９】
請求項２に記載の発明によれば、プラグの栓刃を挟持して電路にプラグを接続する受刃と、栓刃間に発生する火花放電を検知するセンサと、センサの出力電流によりトラッキングを検出すると信号を出力するトラッキング検出回路と、トラッキング検出回路の出力信号により外部に信号を出力する出力手段とで構成したことにより、電源コンセントに接続された機器の電源を遮断することがなく、電源コンセントから離れた場所でトラッキングの発生を知ることができるという効果がある。
【００１０】
請求項３に記載の発明によれば、請求項１又は請求項２に記載の電源コンセントにおいて、トラッキング検出回路から信号が出力されるとセンサの入力電流を遮断する遮断回路を備えたことにより、トラッキングによる栓刃間に流れる放電電流がセンサを介して通電しやすくなった状態を解消することができるという効果がある。
【発明を実施するための最良の形態】
【００１１】
電源コンセントは、プラグの栓刃を挟持して電路にプラグを接続する受刃と、栓刃間に発生する火花放電を検知するセンサと、センサの出力電流によりトラッキングを検出すると信号を出力するトラッキング検出回路と、トラッキング検出回路の出力信号により作動する警告手段とで構成する。
【実施例１】
【００１２】
本発明に係る電源コンセントの実施例１を図１の添付図面に基づいて説明する。
【００１３】
電源コンセント１は、プラグの栓刃（図示せず）を挟持して交流電源２に接続された電路３にプラグを接続する受刃４と、栓刃間に発生する火花放電を検知するセンサ５と、センサ５の出力電流によりトラッキングを検出すると信号を出力するトラッキング検出回路６と、トラッキング検出回路６の出力信号により作動する警告手段７と、各回路に電源を供給する電源回路８とを備えている。
【００１４】
センサ５は金属片等の導電部材により形成され、１対の受刃４，４間に配設されている。センサ５に接続された出力線９は抵抗器１０を介してフォトカプラ１１のダイオード１１ａのアノードに接続され、ダイオード１１ａのカソードはグランドライン１２に接続されている。フォトカプラ１１のトランジスタ１１ｂのコレクタは電源ライン１３に接続され、エミッタはグランドライン１２に接続されている。
【００１５】
センサ５に火花放電が接触すると微小な電流が発生し、出力線９に電流が流れる。これによりフォトカプラ１１のダイオード１１ａが通電するとフォトカプラ１１のトランジスタ１１ｂがオンし、このトランジスタ１１ｂのコレクタにベースが接続されたトランジスタ１４がオンしてトラッキング検出回路６から信号が出力される。
【００１６】
トラッキング検出回路６から出力された信号はサイリスタ１５をオンし、サイリスタ１５のオンにより警告手段であるＬＥＤ７ａ及びブザー７ｂが通電することにより、ＬＥＤ７ａが点灯するとともにブザー７ｂが鳴動してトラッキングが発生したことを知らせる。
【００１７】
ＬＥＤ７ａの表示及びブザー７ｂの鳴動はリセットスイッチ１６を押してサイリスタ１５をオフにすることにより解除することができる。
【００１８】
尚、本実施例において警告手段にＬＥＤとブザーの２つを組み合わせて用い、音と光による警告を行うようにしたが、例えば、機械式の表示や音声による警告等でも良く、また、ブザー１つだけで警告を行う等、種類及び数について限定はない。
【実施例２】
【００１９】
本発明に係る電源コンセントの実施例２を図２〜図４の添付図面に基づいて説明する。尚、実施例１と同一部分は同一符号を付して説明を省略する。
【００２０】
本実施例では、トラッキングの発生時に外部に信号を出力する出力手段２０が備えられている。出力手段２０にはリレー２０ａが用いられ、リレー２０ａは信号線２１によって電源コンセント１から離れた位置に設置された警報ユニット２２に接続されている。トラッキング検出回路６から信号が出力されるとサイリスタ１５がオンし、サイリスタ１５のオンによりリレー２０ａがオンし、リレー２０ａのオンにより警報ユニット２２が作動して表示ランプ２２ａとブザー２２ｂによって警告を行うようになっている。リレー２０ａを停止させるにはリセットスイッチ１６を押してサイリスタ１５をオフすることにより行う。
【００２１】
この警報ユニット２２は１個又は複数個の電源コンセント１とセットにして単独で使用しても良いが、例えば、図４に示すように建物の各階毎に警報ユニット２２を設置し、これらの複数の警報ユニット２２を信号線２３によって管理室等の集中管理モニター２４に接続し、トラッキング発生時に異常が発生した階の警報ユニット２２で警告を行うと同時に、集中管理モニター２４で表示ランプ２４ａとブザー２４ｂによる警告を行い、複数の警報ユニット２２の作動状態を１箇所で管理することもできる。
【００２２】
尚、出力手段はリレーに限定するものではなく、例えば、図５に示すようにフォトカプラ２０ｂを利用したオープンコレクタ出力等でも良い。
【実施例３】
【００２３】
本発明に係る電源コンセントの実施例３を図６の添付図面に基づいて説明する。尚、実施例１及び実施例２と同一部分は同一符号を付して説明を省略する。
【００２４】
本実施例ではトラッキング検出回路６から信号が出力されるとセンサ５の出力電流を遮断する遮断回路３０が備えられている。
【００２５】
遮断回路３０はトラッキング検出回路６から出力された信号を受けて警告手段７であるＬＥＤ７ａとブザー７ｂや出力手段２０であるリレー２０ａを作動させるスイッチング素子のサイリスタ１５のアノードにベースとエミッタを接続し、グランドライン１２にコレクタを接続したＰＮＰ型の第１トランジスタ３１と、第１トランジスタ３１のコレクタにベースを接続し、電源ライン１３にコレクタを接続し、グランドライン１２にエミッタを接続したＮＰＮ型の第２トランジスタ３２と、第２トランジスタ３２のコレクタにベースを接続し、フォトカプラ１１のダイオード１１ａのカソードにコレクタを接続し、エミッタをグランドライン１２に接続したＮＰＮ型の第３トランジスタ３３とで構成されている。
【００２６】
トラッキング検出回路６から信号が出力されていないとき、第１トランジスタ３１はオフ、第２トランジスタ３２はオフ、第３トランジスタ３３はオンになっている。ここで、トラッキング検出回路６から信号が出力されるとサイリスタ１５がオンし、サイリスタ１５のオンにより第１トランジスタ３１がオンし、第１トランジスタ３１のオンにより第２トランジスタ３２がオンし、第２トランジスタ３２のオンにより第３トランジスタ３３がオフする。これにより、センサ５の入力電流は遮断されるので栓刃間に流れる放電電流がセンサ５を介して通電しやすくなった状態を解消できる。
【００２７】
尚、本実施例では遮断回路３０を３つのトランジスタによって構成しているが、トラッキング検出回路６から信号が出力された際にセンサ５の入力電流を遮断できれば回路構成について限定はない。
【図面の簡単な説明】
【００２８】
【図１】本発明の実施例１に係る電源コンセントの回路図である。
【図２】本発明の実施例２に係る電源コンセントの回路図である。
【図３】図２の電源コンセントに警報ユニットを接続した説明図である。
【図４】複数の電源コンセントに複数の警報ユニットと集中監視モニターを接続した説明図である。
【図５】本発明の実施例２に係る電源コンセントの回路図である。
【図６】本発明の実施例３に係る電源コンセントの回路図である。
【符号の説明】
【００２９】
１    電源コンセント
４    受刃
５    センサ
６    トラッキング検出回路
７    警告手段
【図１】
2006046966.tif 000003
【図２】
2006046966.tif 000004
【図３】
2006046966.tif 000005
【図４】
2006046966.tif 000006
【図５】
2006046966.tif 000007
【図６】
2006046966.tif 000008